(57)【特許請求の範囲】
【請求項１】
自動車のシート背凭れ用スイングカップホルダであって、
部分円筒面をなす後面及び平坦な上下面を有し、前記上面の左右端側に設けられた物品収納用の第１及び第２凹部、前記上下面の少なくとも一方の略中央部に設けられたガイド突起（１１）及び前記上下面の少なくとも一方に於いて、部分円筒面をなす前記後面に沿って配置された複数の位置固定突起（１２）を有するハウジング（１０）と、
前記ハウジング（１０）の前記後面及び前記上下面を覆い、前記ガイド突起（１１）に対応するように、前記部分円筒面に対して同心的に延在する部分円弧状のガイドレール（２１）及び前記ハウジング（１０）を所定の角度位置にて保持するべく、前記位置固定突起（１２）を弾発的に係止するストッパ（４０）を有するハウジングカバー（２０）とを有することを特徴とする自動車のシート背凭れ用スイングカップホルダ。
【請求項２】
前記ハウジング（１０）の前記上下面の少なくとも一方及びハウジングカバー（２０）の対向面に互いに嵌合するように、かつ前記部分円筒面に対して同心的に延在する部分円弧状の溝及び突条が設けられていることを特徴とする請求項１に記載の自動車のシート背凭れ用スイングカップホルダ。
【請求項３】
前記ストッパ（４０）が、前記位置固定突起（１２）を受容する湾曲部（４１）を備えた板ばねストッパをなすことを特徴とする請求項１若しくは２に記載の自動車のシート背凭れ用スイングカップホルダ。
【請求項４】
前記ハウジング（１０）の前記後面の左右いずれかの端部の近傍に第３の凹部が設けられ、前記第３の凹部内にて、上下方向を向く枢軸周りに回動可能にフックが設けられ、前記フックが前記第３の凹部から突出する展開位置と、該展開位置から左右方向について外方に傾動することにより、前記第３の凹部に没入する収納位置との間を回動可能に支持されていることを特徴とする請求項１乃至３のいずれかに記載の自動車のシート背凭れ用スイングカップホルダ。
【発明の詳細な説明】
【技術分野】
【０００１】
本発明は、自動車のシート背凭れ用スイングカップホルダに関し、特に、自動車のフロントシート背凭れに埋め込まれるように設置され、リアシート乗員の飲料容器や携帯電話を簡単に収納することができるように構成されたスイングカップホルダに関する。
【背景技術】
【０００２】
現代の生活において、自動車は実生活と非常に密接な関係を持っており、それに応じて自動車は単なる輸送手段の概念から脱して一つの独立した生活空間として認識されるに至った。
【０００３】
このような観点から見ると、走行安全性や乗り心地などの車両の技術的な事項に劣らず重要視されているものの一つに、乗員に快適性を与えることができる様々な室内装置の提供にある。
【０００４】
自動車に提供されている室内装置としては、飲料ボトルやカップ等を固定するのに用いるカップホルダが代表的であり、そのほかにも運転者の趣味や興味に応じて、いくつもの便利な装置を車室内に設置して使用することができる。
【０００５】
従来から、バスのシート背凭れの背面に環状のカップホルダを折畳み可能に設置する場合があるが、長期に渡ってカップホルダが繰り返し折畳まれるに従って、枢支用のピンが脱落したり、カップホルダが、それにより支持される飲料容器と共に不安定な状態で突出することから、乗客が不注意によりカップホルダに触れると、容器から飲料がこぼれ出すことがあるなどの問題があった。
【０００６】
そこで、特許文献１に於いて、図１に示されるように、シート背凭れ（１）の背面に所定の深さに形成されたカップ収納部（２）を形成して、カップ収納部（２）の入口部分に曲面的に形成された切除部（４）を設け、カップに対するアクセス性を向上したカップホルダ（３）が提案されている。
【０００７】
このカップホルダでは、カップを安定した状態で支持できるという利点が得られるものの、外観が必ずしも良好でなく、アクセス性も不満足であるという問題がある。
【先行技術文献】
【特許文献】
【０００８】
【特許文献１】大韓民国実用新案公報１９９６−０００７６３９号
【発明の概要】
【発明が解決しようとする課題】
【０００９】
このような従来技術の問題点に鑑み、本発明の主な目的は、シートの外観を向上させるようにフロントシートの背凭れに設置可能であって、しかも飲料容器を、アクセス良く、かつ安定に保持し得るようなスイングタイプのカップホルダを提供することにある。
【００１０】
本発明の第２の目的は、リアシート乗員の日用品やコップなどをフロントシートの背凭れに簡単に収納して、高い利便性を提供するようにした自動車のシート背凭れ用スイングカップホルダを提供することにある。
【課題を解決するための手段】
【００１１】
このような目的は、本発明によれば、自動車のシート背凭れ用スイングカップホルダであって、部分円筒面をなす後面及び平坦な上下面を有し、前記上面の左右端側に設けられた物品収納用の第１及び第２凹部（１３，１４）、前記上下面の少なくとも一方の略中央部に設けられたガイド突起（１１）及び前記上下面の少なくとも一方に於いて、部分円筒面をなす前記後面に沿って配置された複数の位置固定突起（１２）を有するハウジング（１０）と、前記ハウジング（１０）の前記後面及び前記上下面を覆い、前記ガイド突起（１１）に対応するように、前記部分円筒面に対して同心的に延在する部分円弧状のガイドレール（２１）及び前記ハウジング（１０）を所定の角度位置にて保持するべく、前記位置固定突起（１２）を弾発的に係止するストッパ（４０）を有するハウジングカバー（２０）とを有することを特徴とする自動車のシート背凭れ用スイングカップホルダを提供することにより達成される。
【００１２】
このようにして、ハウジングを、ハウジングの前面が背凭れの外形輪郭に連続する中立位置、上面の第１凹部が露出する左方向にスライド移動した位置及び上面の第２凹部が露出する右方向にスライド移動した位置の間を移動させることができ、物品を安定に保持すると共に、不要時には、カップホルダを収納してシート背凭れの外観を向上することができる。
【００１３】
或る実施例によれば、前記ハウジング（１０）の前記上下面の少なくとも一方及びハウジングカバー（２０）の対向面に互いに嵌合するように、かつ前記部分円筒面に対して同心的に延在する部分円弧状の溝及び突条が設けられている。
【００１４】
これにより、ハウジングのスライド移動を好適にガイドすることができ、ハウジングのがたつきを回避することができる。
【００１５】
また、前記ストッパ（４０）が、前記位置固定突起（１２）を受容する湾曲部（４１）を備えた板ばねストッパをなすものとすることができる。これにより、簡単な構造をもって、ハウジングを、移動に要する力を増大させることなく、しかも所定の位置に十分な保持力をもって保持することができる。
【００１６】
或る実施例によれば、前記ハウジング（１０）の前記後面の左右いずれかの端部の近傍に第３の凹部が設けられ、前記第３の凹部内にて、上下方向を向く枢軸周りに回動可能にフックが設けられ、前記フックが前記第３の凹部から突出する展開位置と、該展開位置から左右方向について外方に傾動することにより、前記第３の凹部に没入する収納位置との間を回動可能に支持されている。
【００１７】
このようにして、格別な構造の変更を伴うことなく、物品を吊り下げることのできるフックを設けることができ、しかも、ハウジングを、中立位置に復帰させる動作に伴い、フックが自動的に収納位置に戻されるため、高い利便性が得られる。
【発明の効果】
【００１８】
本発明によれば、自動車のフロントシート背凭れに装着されたカップホルダの左側或いは右側を引張り又は押すことにより、飲料容器、カップ、携帯電話等の物品を収納するための凹部を選択的に露出させるようにすることで、リアシート乗員の利便性を向上させることができる。また、凹部の形状を自由に定めることができ、物品を安定に保持することができる。
【００１９】
また、必要時のみに、ハウジングをスイング移動させて、収納部が露出されるようにすることで、フロントシートの外観を向上させながら、しかも部品点数の削減及び組み立て作業の単純化を図ることができる。
【図面の簡単な説明】
【００２０】
【図１】従来のカップ収納部を示す斜視図
【図２】本発明に基づくスイングカップホルダの分解斜視図
【図３】本発明に基づくスイングカップホルダの収納状態を示す正面図
【図４】本発明に基づくスイングカップホルダの収納状態を示す底面図
【図５】本発明に基づくスイングカップホルダのハウジングを左側にスイングオープンした状態を示す正面図
【図６】本発明に基づくスイングカップホルダのハウジングを左側にスイングオープンした状態を示す底面図
【図７】本発明に基づくスイングカップホルダのハウジングを右側にスイングオープンした状態を示す正面図
【図８】本発明に基づくスイングカップホルダのハウジングを右側にスイングオープンした状態を示す底面図
【図９】本発明に基づくスイングカップホルダの一部を示す部分斜視図
【発明を実施するための形態】
【００２１】
以下、本発明の好適実施例を添付の図面に基づいて詳細に説明する。
【００２２】
本発明に基づく自動車のシート背凭れ用スイングカップホルダは、自動車のフロントシートの背凭れに埋め込まれるように設置され、リアシートの乗員が、飲料の容器や、携帯電話等を簡単に収納できるように構成されたものである。
【００２３】
そのため、本発明のスイングカップホルダでは、図２に示すように、携帯電話、ＭＰ３プレーヤ等の小型の物品を収容するのに適する第１の凹部１３と飲料容器やカップ等を収容するのに適する第２の凹部１４を備えたハウジング１０が、ハウジングカバー２０に設けられたガイドレール２１に沿ってスイング移動されるように構成されている。ハウジングカバー２０は、結合カバー３０内に収納固定され、結合カバー３０は、フロントシートの背凭れ内に埋め込むように装着される。
【００２４】
ハウジング１０は、後面が部分円筒面をなし、前面が略平坦面をなしている。即ち、平面視で弓型をなしている。上下面は、前後面に対して略直交する概ね平坦な面をなしている。下面上に於いては、後面側に隣接する左右方向について略中央の位置に、左右方向にやや長い突部をなす中央ガイド突起１１が、配置されている。また、湾曲する後面に隣接する部分に沿って、平面視で略円形をなす３つの位置固定突起１２が、略等間隔に配置されている。
【００２５】
すなわち、ガイド突起１１は、ハウジングカバー２０に設けられた、ハウジング１０の後面に対して同心的な部分円弧軌道を画定するガイドレール２１の溝に嵌合することによりガイドされる。このガイド作用により、ハウジング１０が、スイング移動、即ちガイドレール２１の部分円弧軌道の中心点周りに回動することができるようにしている。また、ハウジングカバー２０の底壁の上面には、板ばねを曲成してなるストッパ板４０が、その両端をもって取り付けられている。ストッパ板４０の中央は、位置固定突起１２の外形輪郭に対して補完的な形状の湾曲部４１を形成するように曲げられている。更に、ハウジング１０の回動位置に応じて、３つの位置固定突起１２のいずれかが、湾曲部４１に弾発的に支承されるように、ストッパ板４０が配置されている。
【００２６】
ハウジング１０が、ハウジングカバー２０内に収納された中立位置にあっては、ハウジング１０の前面は、フロントシートの背凭れの輪郭面と連続的な面を画定する。また、ハウジング１０の前面の左右には、乗員が指を掛けるためのハンドル１５ａ、１５ｂが設けられている。
【００２７】
上記したように、ハウジング１０の上面の左側には、携帯電話を差し込んで収納するための長方形の開口を有する第１の凹部１３が設けられ、上面の右側には、飲料容器を収容するための円形の開口を有する第２の凹部１４が設けられている。
【００２８】
このように、ハウジングカバー２０は、中立位置にあるハウジング１０の後面及び上下面を覆い、前方が開放された形状をなす。上記した、ガイド突起１１が係合するべきガイドレール２１は、ハウジングカバー２０の底壁に設けられている。
【００２９】
このようなガイドレール２１とガイド突起１１との係合状態の下で、左右いずれかのハンドル１５ａ、１５ｂを押すか、或いは引っ張ると、ガイド突起１１がガイドレール２１にガイドされた状態で、力が加えられた方向にハウジング１０がスイング移動することになる。
【００３０】
ハウジング１０の回動位置によっては、位置固定突起１２のいずれかが、湾曲部４１に弾発的に支承されるようになり、ハウジング１０は同位置に弾発的に保持される。しかしながら、この状態で、ハンドル１５ａ、１５ｂを介するなどしてハウジング１０に外力を加えると、ハウジング１０を、ストッパ板４０の弾発力に抗して、加えられた力の方向に変位させることができる。このようにして、ハウジング１０は、図３、図４に示される中立位置、図５、図６に示される左方向にスライド移動して、ハウジング１０の左側部分を突出させる位置及び図７、図８に示される右方向にスライド移動して、ハウジング１０の右側部分を突出させる位置に於いて、ハウジング１０が弾発的に保持されるように、位置固定突起１２及びストッパ板４０の位置が定められている。
【００３１】
前記ハウジングカバー２０の底壁の上面には、ガイドレール２１に対して、その内側にて同心をなす部分円弧状にカバー側溝２２が設けられ、ハウジング１０の対向する下面には、カバー側溝２２に嵌入するべき同様の部分円弧状をなすハウジング側突条１７が設けられている。ガイドレール２１とガイド突起１１との係合関係に加えて、これらのカバー側溝２２及びハウジング側突条１７間の係合に伴うガイド作用により、ハウジング１０のスライド移動が安定的に達成される。
【００３２】
ハウジング１０を組み付けた状態のハウジングカバー２０は、シートの結合カバー３０の内部に収納固定され、このシート結合カバー３０をフロントシートの背凭れ内に埋め込むようにして固定することで、簡単にスイングカップホルダを設置することができる。図示された実施例では、中央ガイド突起１１及び位置固定突起１２が、ハウジング１０の下面にのみ設けられているが、その上面にのみ設けたり、或いはハウジング１０の両面に設け、ガイドレール２１をハウジングカバー２０側の対応する部分に設けることもできる。また、ハウジング１０の後面が、ハウジングカバー２０の補完的な対向面上を摺動することにより、カバー側溝２２及びハウジング側突条１７との組み合わせに代えて、或いはそれに追加して補助的なガイド作用が発揮されるようにしても良い。
【００３３】
本発明の作動要領を説明する。ハウジング１０中央の位置固定突起１２が、ストッパ板４０の湾曲部４１に保持されている中立位置にあっては、図３、図４に示されるように、ハウジング１０の前面は、周囲の背凭れの表面と略同一面の輪郭を有し、ハウジング１０の前面に成形された左右のハンドル１５ａ、１５ｂのみが露出されることとなり、良好な外観を呈することとなる。
【００３４】
位置固定突起１２が、湾曲部４１により保持されていることから、ハウジング１０は、がたつくことなく確実に中立位置に保持される。
【００３５】
この状態で右ハンドル１５ｂを押すと、ハウジングカバー２０のガイドレール２１に沿ってガイド突起１１が移動するに従って、ハウジング１０は、図５、図６に示されるように、その左側が突出する位置に向けてスイング移動をすることになる。
【００３６】
その結果、ハウジング１０の左側上面に備えられた第１の凹部１３が露出されて、携帯電話又は筆記具等を保持することができる。
【００３７】
このとき、位置固定突起１２が、湾曲部４１により保持されていることから、ハウジング１０は、がたつくことなく確実に左側位置に保持される。この状態から、左ハンドル１５ａを押すと、ハウジング１０は上記した中立位置に復帰する。
【００３８】
この状態で左ハンドル１５ａを更に押すと、ハウジングカバー２０のガイドレール２１に沿ってガイド突起１１が移動するに従って、ハウジング１０は、図７、図８に示されるように、その右側が突出する位置に向けてスイング移動をすることになる。
【００３９】
その結果、ハウジング１０の右側上面に備えられた第２の凹部１４が露出されて、飲料容器等を保持することができる。この状態から、右ハンドル１５ｂを押すと、ハウジング１０は再び上記した中立位置に復帰する。
【００４０】
図９に示すように、ハウジング１０の後面の右端側には、フック収納部をなすべき第３の凹部１６が形成され、第３の凹部１６の上下の壁には、上下方向に整合する軸支孔が設けられている。中間部にフック５０を備えた短軸５１が、これらの軸支孔に回転可能に嵌入されている。短軸５１の位置は、第３の凹部１６の内部で、左右方向について内側にオフセットした位置に設けられている。短軸の回転角度に応じて、フック５０は第３の凹部１６からハウジング１０後面の輪郭を超えて突出する展開位置と、ハウジング１０後面の輪郭の内部に没入する格納位置との間を短軸５１と共に回動することができる。
【００４１】
したがって、ハウジング１０が、図７、図８に示されるように、その右側が突出する位置にあるときに、フック５０に指を掛けて、展開位置に引き出すことができる。この状態にあるとき、乗員は、フック５０をバッグ、服などの物品を掛けるために利用することができる。また、短軸５１が左右方向について見たときに、内側にオフセットした位置に設けられていることから、第３の凹部１６の大きさを最小限に抑制しつつ、ハウジング１０が、右側が突出する位置から中立位置に向かうスイング移動方向と同じ方向に、フック５０を格納位置に向けて回転させ得るように構成されている。したがって、フック５０から物品を取り外した後、ハウジング１０を中立位置に戻すと、フック５０がハウジングカバー２０の縁部に係合し、同縁部に押されて、強制的に格納位置に戻される。
【００４２】
このように、フック５０が外側に突出した状態にあっても、ハウジング１０を中立位置に戻す動作により、フック５０が自動的に格納位置に戻されることとなり、高い利便性が発揮される。
【００４３】
以上で説明した本発明は、前述した説明によって限定されるものではなく、本発明の技術的思想を逸脱しない範囲内で、いくつかの置換、変形及び変更が可能であることは、本発明が属する技術分野で通常の知識を持つ者にとっては明らかであろう。
【符号の説明】
【００４４】
１０  −  ハウジング
１１  −  ガイド突起
１２  −  位置固定突起
１３  −  第１の凹部
１４  −  第２の凹部
１５ａ、１５ｂ  −  ハンドル
１６  −  第３の凹部
１７  −  ハウジング側突条
２０  −  ハウジングカバー
２１  −  ガイドレール
２２  −  カバー側溝
３０  −  シート結合カバー
４０  −  ストッパ板
４１  −  湾曲部
５０  −  フック
５１  −  短軸
【図１】
0006400549.tif 000002
【図２】
0006400549.tif 000003
【図３】
0006400549.tif 000004
【図４】
0006400549.tif 000005
【図５】
0006400549.tif 000006
【図６】
0006400549.tif 000007
【図７】
0006400549.tif 000008
【図８】
0006400549.tif 000009
【図９】
0006400549.tif 000010